(57)【要約】【課題】利用者が移動しても快適な環境を提供することができると共に、利用者が周囲の空気の状態を意識することなく自動的に快適な環境を提供できる携帯型空気改質機を提供する。【解決手段】空気中の特定成分を検知するセンサ１２と、香料成分を含む空気５１を発射するチャンバー２０と、チャンバーに連通し、チャンバーの空気に香料成分を供給する香り供給部２２と、発射を制御する制御部２４と、を備えた携帯型空気改質機１００であって、さらに、利用者２００の鼻の位置を検出するカメラ８と、チャンバーに連通し、香料成分を含む空気の発射方向を変えるノズル６と、をさらに備え、制御部は、センサに基づいて発射の可否を判断すると共に、発射をすると判断した場合に、チャンバーの空気に香料成分を供給し、かつカメラで検出した利用者の鼻先の位置にノズルの向きを変える制御を行う。【選択図】図２
2017209223.tif 000002
【特許請求の範囲】
【請求項１】
空気中の特定成分を検知するセンサと、
香料成分を含む空気を発射するチャンバーと、
前記チャンバーに連通し、前記チャンバーの空気に前記香料成分を供給する香り供給部と、
前記発射を制御する制御部と、を備えた携帯型空気改質機であって、
さらに、前記携帯型空気改質機を携帯する利用者の鼻の位置を検出するカメラと、
前記チャンバーに連通し、前記香料成分を含む空気の発射方向を変えるノズルと、をさらに備え、
前記制御部は、前記センサに基づいて前記発射の可否を判断すると共に、前記発射をすると判断した場合に、前記チャンバーの空気に前記香料成分を供給し、かつ前記カメラで検出した前記利用者の鼻先の位置に前記ノズルの向きを変える制御を行う携帯型空気改質機。
【請求項２】
前記香料成分は、固体又はゲル化してなる請求項１記載の携帯型空気改質機。
【請求項３】
前記センサは、前記特定成分として特定の有機化合物を検知する請求項１又は２記載の携帯型空気改質機。
【発明の詳細な説明】
【技術分野】
【０００１】
本発明は、室内や室外の空気に香気成分を含有させて利用者に供給する空気改質機に関する。
【背景技術】
【０００２】
従来、車両や室内に空気砲を発射する装置（空気改質機）を取り付け、空気砲に芳香成分を含有させて利用者に快適な環境を提供する技術が知られている（特許文献１、２）。又、特許文献２には、この装置にカメラを搭載して利用者の鼻の位置を検出し、空気砲を鼻先に発射することも記載されている。
【先行技術文献】
【特許文献】
【０００３】
【特許文献１】特開2006-282084号公報
【特許文献１】特開2010-22577号公報（段落0021）
【発明の概要】
【発明が解決しようとする課題】
【０００４】
しかしながら、従来の空気改質機は、車両や室内に固定的に設置されており、利用者が空気清浄機の設置場所を離れた場合に快適な環境を提供できないという問題がある。
又、空気砲を発射するタイミングを利用者に任せており、空気砲の発射をする操作が必要であり、面倒である。さらに、利用者が常に周囲の空気の状態を意識する必要があると共に、利用者が不快に感じてから空気砲を発射するので、快適な環境になるまで時間的な遅れが生じ、その間は不快な状態を我慢する必要がある。
すなわち、本発明は、利用者が移動しても快適な環境を提供することができると共に、利用者が周囲の空気の状態を意識することなく自動的に快適な環境を提供できる携帯型空気改質機の提供を目的とする。
【課題を解決するための手段】
【０００５】
本発明の携帯型空気改質機は、空気中の特定成分を検知するセンサと、香料成分を含む空気を発射するチャンバーと、前記チャンバーに連通し、前記チャンバーの空気に前記香料成分を供給する香り供給部と、前記発射を制御する制御部と、を備えた携帯型空気改質機であって、さらに、前記携帯型空気改質機を携帯する利用者の鼻の位置を検出するカメラと、前記チャンバーに連通し、前記香料成分を含む空気の発射方向を変えるノズルと、をさらに備え、前記制御部は、前記センサに基づいて前記発射の可否を判断すると共に、前記発射をすると判断した場合に、前記チャンバーの空気に前記香料成分を供給し、かつ前記カメラで検出した前記利用者の鼻先の位置に前記ノズルの向きを変える制御を行う。
【０００６】
この携帯型空気改質機によれば、利用者が携帯することができるので、利用者が移動しても香料成分で改質した空気を利用者に向けて発射し、快適な環境を提供することができる。
又、センサによる特定成分の検出結果に応じて、自動的に香料成分を含む空気を発射するので、利用者が周囲の空気の状態を意識することなく自動的に快適な環境を提供できる。さらに、利用者が不快に感じてから香料成分を含む空気を発射するのでなく、センサの検出結果に応じて香料成分を含む空気を発射するので、快適な環境になるまで時間的な遅れが生じ難く、不快な状態を速やかに改善できる。
【０００７】
前記香料成分は、固体又はゲル化してなるとよい。
この携帯型空気改質機によれば、香料成分が固体又はゲル化しているので、香料成分の収納スペースが小さくて済むと共に、香料成分の交換、補充が液体に比べてし易くなる。
【０００８】
前記センサは、前記特定成分として特定の有機化合物を検知するとよい。
この携帯型空気改質機によれば、悪臭成分となる有機化合物を確実に検知できる。
【発明の効果】
【０００９】
この発明によれば、利用者が移動しても快適な環境を提供することができると共に、利用者が周囲の空気の状態を意識することなく自動的に快適な環境を提供できる携帯型空気改質機が得られる。
【図面の簡単な説明】
【００１０】
【図１】本発明の実施形態に係る携帯型空気改質機を利用者が着用した状態を示す図である。
【図２】本発明の実施形態に係る携帯型空気改質機の構成を示す斜視図である。
【図３】制御部による処理フローを示す図である。
【発明を実施するための形態】
【００１１】
以下、図１〜図３を参照し、本発明の実施形態に係る携帯型空気改質機について説明する。
図１は携帯型空気改質機１００を利用者２００が着用した状態を示す図である。
携帯型空気改質機１００は、腕時計型のウェアラブル機器の形態をなし、利用者２００の腕に着用される。詳しくは後述するが、携帯型空気改質機１００から、香料成分を含む空気５１を利用者２００の鼻先に向けて発射することで、空気中の悪臭を緩和し、利用者に快適な環境を提供することができる。
香料成分を含む空気５１は、ドーナツ状や球状等の空気の渦（塊）であり、所定の方向に進行していく。
【００１２】
図２は携帯型空気改質機１００の構成を示す斜視図である。
携帯型空気改質機１００は、腕時計型のウェアラブル機器の形態をなし、略箱型の筐体２と、筐体２の対向する側面に取付けられて利用者の腕に巻きつけられるリストバンド４と、を備えている。
筐体２の表面の中央部は隆起部２ｐを形成し、隆起部２ｐの中央開口からノズル６が筐体２の上方に突出している。又、隆起部２ｐを挟んでリストバンド４の取り付けられた側面と反対側の側面に隣接する筐体２の表面には、それぞれカメラ８，８が配置されている。さらに、リストバンド４の取り付けられた一方の側面に隣接する筐体２の表面にはメインスイッチ１０が配置され、隆起部２ｐを挟んでメインスイッチ１０と反対側の筐体２の表面にはセンサ１２が配置されている。
【００１３】
一方、ノズル６の下方の筐体２の内部には、チャンバー２０が形成され、ノズル６は蛇腹６ａを介してチャンバー２０に連通しており、ノズル６に接続されたアクチュエータ（図示せず）を動作させると、蛇腹６ａが自由に変形しつつ、ノズル６（の開口６ｈ）の向きが変わるようになっている。アクチュエータは例えば、ピエゾ素子や小型のステッピングモータを用いることができる。
又、筐体２の内部には、弁（電磁弁）２２ｖを介してチャンバー２０に連通する室をなす、香り供給部２２が形成されており、香り供給部２２内にはゲル化した固体状の香料成分（本例では酢酸ベンジル）が収容されている。
さらに、筐体２の内部には、携帯型空気改質機１００の全体を制御するマイコン等からなる制御部２４と、電源となる電池２６とが配置されている。
【００１４】
チャンバー２０の底面には図示しないダイヤフラムが取り付けられており、このダイヤフラムが電磁コイル等によって上下動することで、チャンバー２０の容積が増減する。そして、ダイヤフラムによってチャンバー２０を急激に収縮させることで、チャンバー２０に連通したノズル６のノズル孔６ｈからチャンバー２０の香料成分を含む空気５１が渦流として発射される。チャンバー２０の収縮を間欠的に行うことで、複数の香料成分を含む空気５１を連続して発射することができる。
【００１５】
香料成分は、例えば芳香剤を含むゼリー状になっていて、弁２２ｖを開くことでチャンバー２０内に香料成分が放出され、チャンバー２０内の空気に混合するようになっている。香料成分は、香気を持った有機化学物質またはそれらの集合体であり、天然香料と合成香料のいずれでもよい。
【００１６】
本実施形態では、センサ１２は、特定の有機化合物（有機化学物質）からなる特定成分（悪臭成分）の有無を検知する。センサ１２は、例えば酸化スズ等の酸化物半導体センサからなり、抵抗値の変化が化学物質の種類によって異なることを動作原理としている。そして、酸化スズにＰｔ，Ｐｄ等を添加したり、添加元素の量を変えることで、特定の有機化合物の有無を検知できる。
悪臭成分となる有機化合物としては、アセトアルデヒド、アンモニアが例示できる。
【００１７】
次に、図３を参照し、制御部２４による携帯型空気改質機１００の動作について説明する。
まず、制御部２４は、空気中の特定成分（悪臭成分）の有無をセンサ１２で検知し、特定成分を検知したか否かを判定する（ステップＳ２）。ステップＳ２の判定基準は、例えば特定成分の濃度が所定の閾値を超えたか否かとしてもよく、センサ１２の検出限界を超えた検出値が得られたときとしてもよい。
ステップＳ２で「Ｙｅｓ」であれば、次に、制御部２４は、カメラ８で利用者２００の鼻先を検出できたか否かを判定する（ステップＳ４）。カメラ８による検出は、例えば人間の鼻の特徴画像を抽出して行ってもよく、特許文献２に記載されているように、赤外線カメラとして利用者２００の温度の高い部分（鼻の孔からの呼気等）を検出してもよい。
一方、ステップＳ２で「Ｎｏ」であれば、ステップＳ２に戻る。
【００１８】
ステップＳ４で「Ｙｅｓ」であれば、制御部２４は、弁２２ｖを開き、チャンバー２０内に香料成分を放出してチャンバー２０内の空気に混合する（ステップＳ８）。
一方、ステップＳ４で「Ｎｏ」であれば、制御部２４は、図示しない筐体２内のブザー等を鳴動させて警報を発し（ステップＳ６）、ステップＳ４に戻る。これは、例えばカメラ８が利用者２００の袖口に隠れて撮像できない場合等に相当する。ステップＳ６の警報処理は、音声に限らず、例えば携帯型空気改質機１００の一部を明滅させて映像として警報してもよく、振動等で警報してもよい。又、ステップＳ６の処理が繰り返して一定時間行われた場合に、図３の処理を終了してもよい。
【００１９】
ステップＳ８に続き、制御部２４は、ステップＳ４で検出した鼻先へ向けてノズル６を移動させる（ステップＳ１０）。具体的には、図示しないアクチュエータを作動させてノズル６を移動させる。次に、制御部２４は、チャンバー２０から香料成分が混合された空気を香料成分を含む空気５１として発射する（ステップＳ１２）。具体的には、図示しないダイヤフラムを作動させる。
以後、終了指示（ステップＳ１４）があるまで、ステップＳ２に戻って処理を繰り返す。なお、終了指示は、利用者２００が携帯型空気改質機１００の各種ボタンを操作する（例えばメインスイッチ１０をＯＦＦにする）ことで行うことができる。
【００２０】
以上のように、本発明の実施形態に係る携帯型空気改質機１００は、利用者２００が携帯することができるので、利用者が移動しても香料成分で改質した空気を利用者に向けて発射し、快適な環境を提供することができる。
又、センサ１２による特定成分の検出結果に応じて、自動的に香料成分を含む空気を発射するので、利用者２００が周囲の空気の状態を意識することなく自動的に快適な環境を提供できる。さらに、利用者２００が不快に感じてから香料成分を含む空気を発射するのでなく、センサ１２の検出結果に応じて香料成分を含む空気を発射するので、快適な環境になるまで時間的な遅れが生じ難く、不快な状態を速やかに改善できる。
【００２１】
本発明は上記した実施形態に限定されず、本発明の思想と範囲に含まれる様々な変形及び均等物に及ぶことはいうまでもない。
携帯型空気改質機１００としては携帯できるものであればよく、上述の腕時計型の他、ペン型等が挙げられる。香料成分も上記に限定されない。
【符号の説明】
【００２２】
６    ノズル
８    カメラ
１２    センサ
２０    チャンバー
２２    香り供給部
２４    制御部
５１    香料成分を含む空気
１００    携帯型空気改質機
２００    利用者
【図１】
2017209223.tif 000003
【図２】
2017209223.tif 000004
【図３】
2017209223.tif 000005